(57)【要約】【課題】側部閉塞部材を備えながら、軽量である間仕切パネルを提供する。【解決手段】天井Ｒに設けられる誘導路３に吊支部材９，９を介して吊支されて誘導路３に沿って移動可能であり、連接されることで空間を仕切る複数の間仕切パネル１，１，…，１の少なくとも一つは、移動規制端部Ｓとの隙間を閉塞可能な側部閉塞部材２０を備える間仕切パネル１Ａであって、側部閉塞部材２０は、水平方向への移動を案内可能な重量支持手段３５，３５によって間仕切パネル１Ａの枠体５を構成する部材７Ａに支持されており、重量支持手段３５，３５とは独立して移動規制端部Ｓに対して進退動作する側部進退手段２５によって進退移動可能である。【選択図】図６
2019214856.tif 000002
【特許請求の範囲】
【請求項１】
天井に設けられる誘導路に吊支部材を介して吊支されて当該誘導路に沿って移動可能であり、連接されることで空間を仕切る複数の間仕切パネルの少なくとも一つは、移動規制端部との隙間を閉塞可能な側部閉塞部材を備える間仕切パネルであって、
前記側部閉塞部材は、水平方向への移動を案内可能な重量支持手段によって前記間仕切パネルの枠体を構成する部材に支持されており、前記重量支持手段とは独立して前記移動規制端部に対して進退動作する側部進退手段によって進退移動可能であることを特徴とする側部閉塞部材を備える間仕切パネル。
【請求項２】
前記重量支持手段は、上下方向に離間して設けられた複数の重量支持機構から構成されていることを特徴とする請求項１に記載の側部閉塞部材を備える間仕切パネル。
【請求項３】
前記重量支持機構は、リンク機構であることを特徴とする請求項２に記載の側部閉塞部材を備える間仕切パネル。
【請求項４】
前記重量支持機構は、スライド機構であることを特徴とする請求項２に記載の側部閉塞部材を備える間仕切パネル。
【請求項５】
前記側部進退手段及び前記重量支持手段はそれぞれ、上下方向へ直線状に延びる縦杆部材に取付けられていることを特徴とする請求項１ないし４のいずれかに記載の側部閉塞部材を備える間仕切パネル。
【請求項６】
前記側部進退手段は、操作回転力を受ける回動体と、該回動体に回動可能に接続され前記側部閉塞部材を進退させるアームと、により構成されていることを特徴とする請求項１ないし５のいずれかに記載の側部閉塞部材を備える間仕切パネル。
【請求項７】
前記重量支持手段は、前記側部進退手段のストロークの範囲において前記側部閉塞部材の移動を水平方向へ案内可能であることを特徴とする請求項１ないし６のいずれかに記載の側部閉塞部材を備える間仕切パネル。
【発明の詳細な説明】
【技術分野】
【０００１】
本発明は、オフィス、会議室、ショールーム、店舗等の室内を所定の区画に仕切って使用するための側部閉塞部材を備える間仕切パネルに関する。
【背景技術】
【０００２】
オフィス、会議室、ショールーム、店舗等の室内は、天井に設けられたレール（誘導路）にローラを有する吊支部材を介して吊支され、該レールに沿って移動可能な間仕切パネルを連接して所定の区画に仕切って、所望の小区画のレイアウトを実現している。このような間仕切パネルにあっては、壁部（移動規制端部）との隙間を閉塞する側部閉塞部材を進退自在に備えたものがあり、側部閉塞部材を壁部に対して押圧させることで隙間を閉塞し、光や音の漏れを防止できるようにしたものが知られている。
【０００３】
例えば、特許文献１に示される側部閉塞部材を備える間仕切パネルは、上下方向に延びる円柱状のネジ軸ロッドと、二つの板材の一端部同士が回動可能に連結された連結端部を基点として拡開する横向きＶ字状を成した拡縮リンク部材とから構成される側部進退手段に側部閉塞部材が取付けられている。側部進退手段は、ネジ軸ロッドの周面に上下方向に離間して所謂右ネジ状の雄ネジ部と左ネジ状の雄ネジ部がそれぞれ形成されており、雄ネジ部は二つの板材の自由端部に形成された雌ネジ部に螺合されている。側部閉塞部材は、拡縮リンク部材の連結端部に取付けられており、二つの板材によって片持ち支持されている。
【０００４】
側部進退手段は、ネジ軸ロッドを一方向に回転させると二つの板材の自由端部同士が近接することに伴い、拡縮リンク部材の連結端部がネジ軸ロッドから離間する方向へと進出する。同様に、昇降ロッドを他方向に回転させると拡縮リンク部材の自由端部同士が離間することに伴い、拡縮リンク部材の連結端部がネジ軸ロッドに近接する方向へと後退する。これらのように、ネジ軸ロッドを一方向または他方向へ回転させることによって、拡縮リンク部材の連結端部に取付けられた側部閉塞部材は、左右方向に進退移動可能となっている。
【先行技術文献】
【特許文献】
【０００５】
【特許文献１】実公平７−３５１０４号公報（第２，３頁、第４図）
【発明の概要】
【発明が解決しようとする課題】
【０００６】
このような、特許文献１の側部閉塞部材を備える間仕切パネルにおいてネジ軸ロッドは、二つの板材により側部閉塞部材を片持ち支持していることから側部閉塞部材が進出する際に側部閉塞部材の荷重によるモーメントを受けるとともに、側部閉塞部材が移動規制端部との隙間を閉塞した際に壁部から反力を受ける。このことから、ネジ軸ロッドは重厚となっており、側部閉塞部材を備える間仕切パネルの重量が重くなってしまうという問題があった。
【０００７】
本発明は、このような問題点に着目してなされたもので、側部閉塞部材を備えながら、軽量である間仕切パネルを提供することを目的とする。
【課題を解決するための手段】
【０００８】
前記課題を解決するために、本発明の側部閉塞部材を備える間仕切パネルは、
天井に設けられる誘導路に吊支部材を介して吊支されて当該誘導路に沿って移動可能であり、連接されることで空間を仕切る複数の間仕切パネルの少なくとも一つは、移動規制端部との隙間を閉塞可能な側部閉塞部材を備える間仕切パネルであって、
前記側部閉塞部材は、水平方向への移動を案内可能な重量支持手段によって前記間仕切パネルの枠体を構成する部材に支持されており、前記重量支持手段とは独立して前記移動規制端部に対して進退動作する側部進退手段によって進退移動可能であることを特徴としている。
この特徴によれば、側部閉塞部材は、側部進退手段とは独立した重量支持手段によって水平方向への移動が案内可能に間仕切パネルの枠体を構成する部材に支持されている。このことから、重量支持手段は、側部閉塞部材が進退移動する際や側部閉塞部材が移動規制端部との隙間を閉塞した際に側部閉塞部材の重量を受けるようになっている。また、重量支持手段とは独立した側部進退手段は、側部閉塞部材が移動規制端部との隙間を閉塞した際に移動規制端部からの反力を受けるようになっている。すなわち、側部閉塞部材の重量と移動規制端部からの反力とを重量支持手段と側部進退手段にそれぞれ分散して受けるようになっているため、重量支持手段及び側部進退手段それぞれの構成を簡素化することができる。これにより、側部閉塞部材を備える間仕切パネルを軽量とすることができる。
【０００９】
前記重量支持手段は、上下方向に離間して設けられた複数の重量支持機構から構成されていることを特徴としている。
この特徴によれば、複数の重量支持機構が上下方向に離間して設けられることで、側部閉塞部材を水平方向へ案内する精度が増す。
【００１０】
前記重量支持機構は、リンク機構であることを特徴としている。
この特徴によれば、簡素な構造とすることができる。
【００１１】
前記重量支持機構は、スライド機構であることを特徴としている。
この特徴によれば、簡素な構造とすることができる。
【００１２】
前記側部進退手段及び前記重量支持手段はそれぞれ、上下方向へ直線状に延びる縦杆部材に取付けられていることを特徴としている。
この特徴によれば、同じ縦杆部材に取付けられることから、側部進退手段及び重量支持手段同士の相対的な取付け精度が向上する。
【００１３】
前記側部進退手段は、操作回転力を受ける回動体と、該回動体に回動可能に接続され前記側部閉塞部材を進退させるアームと、により構成されていることを特徴としている。
この特徴によれば、重量支持手段によって側部閉塞部材の移動が水平方向へ案内されるため、回動体の回動に応じて当該回動体とアームとの屈折角度が可変することで進退動作を行う側部進退手段を採用することができる。
【００１４】
前記重量支持手段は、前記側部進退手段のストロークの範囲において前記側部閉塞部材の移動を水平方向へ案内可能であることを特徴としている。
この特徴によれば、側部閉塞部材を進出させて移動規制端部との隙間を閉塞するまで、確実に案内することができる。
【図面の簡単な説明】
【００１５】
【図１】本発明の実施例１における側部閉塞部材を備える間仕切パネルを有する移動間仕切装置を示す斜視図である。
【図２】移動間仕切装置により部屋を仕切った状態を示す概略図である。
【図３】側部閉塞部材を備える間仕切パネルの構造を示す分解斜視図である。
【図４】上部閉塞部材及び下部閉塞部材の収納状態を示す縦断面図である。
【図５】パネル本体に設置された側部閉塞装置を示す模式図である。
【図６】（ａ）は、収納状態における側部閉塞装置を示す模式図であり、（ｂ）は、押引手段の最大ストロークにおける側部閉塞装置を示す模式図である。
【図７】収納状態における側部進退機構の一部を示す模式図である。
【図８】側部進退手段の最大ストローク時における側部進退機構の一部を示す模式図である。
【図９】進出状態における側部進退機構の一部を示す模式図である。
【図１０】（ａ），（ｂ）は、側部閉塞部材を備える間仕切パネルによる天井、床、壁部との間の隙間の閉塞態様を示す模式図である。
【図１１】（ａ），（ｂ）は、図１０に引き続き、側部閉塞部材を備える間仕切パネルによる天井、床、壁部との間の隙間の閉塞態様を示す模式図である。
【図１２】（ａ）は、本発明の実施例２における収納状態の側部閉塞装置を示す模式図であり、（ｂ）は、本発明の実施例２における側部進退手段の最大ストローク時の側部閉塞装置を示す模式図である。
【図１３】本発明における枠体の変形例を示す分解斜視図である。
【発明を実施するための形態】
【００１６】
本発明に係る側部閉塞部材を備える間仕切パネルを実施するための形態を実施例に基づいて以下に説明する。
【実施例１】
【００１７】
実施例１に係る側部閉塞部材を備える間仕切パネルを有する移動間仕切装置につき、図１から図１１を参照して説明する。以下、図２の紙面手前側及び図４の紙面右側を、側部閉塞部材を備える間仕切パネルの正面側（前方側）とし、その前方側から見たときの上下左右方向を基準として説明する。
【００１８】
間仕切パネル１は、例えば、オフィス、会議室、ショールーム、店舗等の建物内の室内を所定の区画に仕切るために用いられるものであり、図１，図２に示されるように、本実施例では、複数の間仕切パネル１，１，…，１Ａを組み合わせて移動間仕切装置１０を構成している。
【００１９】
移動間仕切装置１０は、室内空間の天井Ｒに設けられるレール３（誘導路）に沿って移動可能な一対の吊支部材９，９（図３参照）により上端が吊支される複数の間仕切パネル１，１，…と、側部閉塞装置２を有する最後尾の間仕切パネル１Ａと、から主に構成され、間仕切パネル１，１，…，１Ａをレール３に沿って図１において右側の側壁Ｗ’に設けられる移動規制端部Ｓ’側に所定の位置まで手動で順次移動させることによって、間仕切パネル１，１，…，１Ａを一列に連接させ、後述する上部閉塞部材１１及び下部閉塞部材１２がレール３及び床Ｆに向けて押し付けられるとともに、側部閉塞装置２の側部閉塞部材２０（図２参照）が側壁Ｗに設けられる移動規制端部Ｓに押し付けられることにより、天井Ｒから床Ｆに亘って室内空間を仕切ることができるようになっている。
【００２０】
尚、移動規制端部Ｓ，Ｓ’とは、移動間仕切装置１０を構成する間仕切パネル１，１，…，１Ａの内、先頭の間仕切パネル１、または、最後尾の間仕切パネル１Ａの側部閉塞部材２０が当接し、先頭の間仕切パネル１、または、最後尾の間仕切パネル１Ａの側部閉塞部材２０の移動を規制する端部を構成する所定の側壁や支柱等のことである。
【００２１】
また、図１に示されるように、レール３には、収納レール３ａ，３ａが直交連結されており、収納レール３ａ，３ａは、間仕切パネル１，１Ａに固定された一対の吊支部材９，９と略同一寸法離間して配置されている。これにより、間仕切パネル１，１，…，１Ａを前後方向（連接方向に直交する方向）に並べて収納可能となっている。
【００２２】
次に、最後尾の間仕切パネル１Ａについて説明する。尚、他の間仕切パネル１の構成については、最後尾の間仕切パネル１Ａの構成と略同一態様であるため、重複する説明については省略する。
【００２３】
図３に示されるように、最後尾の間仕切パネル１Ａは、前後に間隔をおいて対向配置される一対のガラスパネル４，４（パネル部材）と、ガラスパネル４，４を一体に保持する枠体５（上部フレーム６、縦フレーム７，７Ａ及び下部フレーム８）と、上部フレーム６または下部フレーム８に収納される上部閉塞部材１１または下部閉塞部材１２と、上部閉塞部材１１または下部閉塞部材１２に収納される上角部閉塞部材３１及び下角部閉塞部材３２と、上部閉塞部材１１及び下部閉塞部材１２を進退移動させる上部進退機構６５または下部進退機構８５（図５参照）と、縦フレーム７Ａに取付けられる側部閉塞装置２と、から主に構成される二重ガラスパネル構造を成し、パネル材として透明のガラスパネル４，４が使用されることにより、間仕切パネル１，１，…，１Ａによって仕切られる室内空間の開放感を演出することができるとともに、強度や遮音性に優れている。尚、本実施例では、ガラスパネル４，４と枠体５とが一体化されてパネル本体５０（図５参照）を構成している。
【００２４】
次に、ガラスパネル４，４の構造について説明する。図４に示されるように、ガラスパネル４は、２枚の透明な板ガラス４１，４１を重合して強化された合わせガラスとなっている。尚、板ガラス４１，４１は、透明度の高いポリカーボネートやアクリル樹脂製を使用してもよい。
【００２５】
図３に示されるように、前方のガラスパネル４には貫通孔４ｂが形成されており、貫通孔４ｂは、後述する側部閉塞装置２のアクセス部Ｃ（後述する六角ボルト頭部）に位置合わせされている。
【００２６】
次に、枠体５の構造について説明する。図３に示されるように、枠体５は、ガラスパネル４，４の上端部に沿って取付けられる上部フレーム６と、上端部が上部フレーム６の左右両端部に連結される一対の縦フレーム７，７Ａと、ガラスパネル４，４の下端部に沿って取付けられ、左右両端部が一対の縦フレーム７，７Ａの下端部に連結される下部フレーム８と、から主に構成され、一対のガラスパネル４，４の上下左右端に沿って配置される、いわゆる四方枠形状を成している。
【００２７】
図４に示されるように、上部フレーム６は、長手方向に沿って設けられる上部チャンネル部６２を備えており、上部チャンネル部６２には、上部閉塞部材１１及び上部進退機構６５（図５参照）が収納されている。また、下部フレーム８は、上部フレーム６を上下に反転した形状と略同一形状であり、下部フレーム８の下部チャンネル部８２には、下部閉塞部材１２及び下部進退機構８５（図５参照）が収納されている。
【００２８】
図３に戻って、最後尾の間仕切パネル１Ａの右側の縦フレーム７は、ガラスパネル４，４の上下方向に延びる芯部材７１と、該間仕切パネル１Ａの上下方向に延び芯部材７１を被覆する被覆部材７０と、から主に構成され、芯部材７１の上端部が上部フレーム６に、芯部材７１の下端部が下部フレーム８に、それぞれ一対のネジで固定される。最後尾の間仕切パネル１Ａの左側の縦フレーム７Ａは、ガラスパネル４，４の上下方向に亘って延びる芯部材７１Ａと、上面視コ字状に形成され芯部材７１Ａを覆うカバー部材７２と、から主に構成され、芯部材７１Ａの上端部が上部フレーム６に、芯部材７１Ａの下端部が下部フレーム８に、それぞれ一対のネジで固定される。尚、他の間仕切パネル１は、縦フレーム７，７が対向配置されている。
【００２９】
ここで、ガラスパネル４，４と縦フレーム７，７Ａとの固定について説明する。ガラスパネル４，４の内面と、縦フレーム７の被覆部材７０の側面とを透明な両面テープで貼付するとともに、前方のガラスパネル４の内面と、縦フレーム７Ａのカバー部材７２の側面とを透明な両面テープで貼付する。このようにしてガラスパネル４，４と縦フレーム７，７Ａとが固着されている。
【００３０】
また、図３に示されるように、カバー部材７２の前方の側板部には、前方のガラスパネル４の貫通孔４ｂと位置合わせされて貫通孔７２ｆが形成されており、ガラスパネル４，４と縦フレーム７，７Ａとが固着され、貫通孔７２ｆと貫通孔４ｂとが連通することで、アクセス部Ｃ（操作部）にアクセス可能なアクセス孔Ｈが形成される。尚、直接の図示は省略するが、アクセス部Ｃの操作を行うとき以外は、アクセス孔Ｈにキャップが装着され、アクセス部Ｃの保護がなされている。
【００３１】
次に、上部閉塞部材１１及び下部閉塞部材１２について説明する。図４，図５に示されるように、上部閉塞部材１１は、上部フレーム６と略同一寸法で左右方向に延びており、側方から見て下向きコ字形状を成している。下部閉塞部材１２は、上部閉塞部材１１を上下反転した形状と略同一形状であるため、その説明を省略する。
【００３２】
図７，図９，図１０に示されるように、上部閉塞部材１１及び下部閉塞部材１２は、上部フレーム６の上部チャンネル部６２及び下部フレーム８の下部チャンネル部８２に収納された状態において、パネル本体５０よりも右側（間仕切り位置への進行方向）に右端部がそれぞれ突出している。また、上部閉塞部材１１及び下部閉塞部材１２は、隣接する間仕切パネル１の左側端部に押圧されることにより、上部進退機構６５または下部進退機構８５によってレール３及び床Ｆに対して進退移動するようになっている。尚、上部閉塞部材１１及び下部閉塞部材１２を進退動作させる上部進退機構６５または下部進退機構８５は、捻りコイルバネ、または捻りコイルバネ及びリンク部材を組み合わせたリンク機構等により構成されている。
【００３３】
次に、側部閉塞装置２について説明する。図５，図６に示されるように、側部閉塞装置２は、カバー部材７２内の収納部７２ｄに収納される側部閉塞部材２０と、縦フレーム７Ａの芯部材７１Ａに固定されるベース杆２３と、側部閉塞部材２０の水平方向への移動を案内可能な上下一対のリンク機構３５，３５（重量支持機構，重量支持手段）と、リンク機構３５，３５とは独立して移動規制端部Ｓに対して進退動作する側部進退機構２５（側部進退手段）と、から主に構成されており、側部進退機構２５の進退動作に応じて側部閉塞部材２０は進退するようになっている。
【００３４】
図５，図６を参照し、側部閉塞部材２０は、ガラスパネル４，４の上下方向に亘って延び芯部材７１Ａ側（右側）に開口する上面視コ字状に形成された本体部材２１の底部の内側に支持杆２２が固定されており、上面視移動規制端部Ｓ側（左側）に開口するカバー部材７２の内部に連接方向（左右方向）に移動可能に収納されている。また、支持杆２２には側部進退機構２５及び各リンク機構３５，３５が連結されている。
【００３５】
図５のＡ−Ａ矢視図を吹出し内に示すように、支持杆２２は、上下方向に長尺な角パイプ状の部材であり、支持杆２２の側端部には、取付片２２ａ，２２ａが上部及び下部それぞれに溶接固定されており、取付片２２ａにはリンク機構３５が回動可能に取付けられている。
【００３６】
また、図５のＡ−Ａ矢視図を吹出し内に示すように、支持杆２２の前後の側面部には、上面視柄杓形状に形成された二つの段付き板材２２ｂ，２２ｂが、各短板部を芯部材７１Ａ側で対向配置させた状態で固定されており、二つの段付き板材２２ｂ，２２ｂに囲まれた空間内を後述する側部進退機構２５の押引体２６が左右方向に移動可能かつ芯部材７１Ａ側への移動は短板部である規制部により規制可能となっている。
【００３７】
また、図５のＡ−Ａ矢視図を吹出し内に示すように、支持杆２２と押引体２６との間には、複数の緩衝部材３３が配置されている。緩衝部材３３は、左右方向に付勢するコイル状の圧縮バネ３３ａと、該圧縮バネ３３ａに軸通されるボルト形状の軸芯３３ｂと、から構成されており、軸芯３３ｂの一端部が押引体２６の支持杆２２側の側端部に螺着されている。一方、軸芯３３ｂの他端部は、支持杆２２の押引体２６側の側端部を左右方向に貫通する貫通孔２２ｃに挿通されており、軸芯３３ｂは、該貫通孔２２ｃを通じて左右方向へ移動可能となっている。
【００３８】
図５，図６を参照して、ベース杆２３（縦杆部材）は、上下方向に長尺なＣ字チャンネル杆状の部材であり、上下方向に亘って形成されたスリットが移動規制端部Ｓ側（左側）に向けて配置された状態で、ボルトナットにより芯部材７１Ａに固定されている。
【００３９】
また、ベース杆２３の左側面部には、上下方向略中央部に上下方向に離間した第１取付片２３ａ，２３ａと、第１取付片２３ａ，２３ａよりも上端部側または下端部側に位置した第２取付片２３ｂ，２３ｂと、第２取付片２３ｂ，２３ｂそれぞれの下方にてベース杆２３の板状の支持板２３ｃ，２３ｃとが溶接固定されており、第１取付片２３ａ，２３ａには側部進退機構２５が、第２取付片２３ｂ，２３ｂにはリンク機構３５，３５が、それぞれ回動可能に軸支され、支持板２３ｃ，２３ｃにはリンク機構３５，３５のローラ３８，３８（図６参照）が押圧されている。
【００４０】
このように、同じベース杆２３に側部進退機構２５とリンク機構３５，３５が取付けられることから、側部進退機構２５及びリンク機構３５，３５同士の相対的な取付け精度が向上する。
【００４１】
また、図７に示されるように、ベース杆２３の第１取付片２３ａには、ピン状の第１ストッパ９８ａと第２ストッパ９８ｂとが溶接固定されており、後述する側部進退機構２５のレバー２７が当接することで当該レバー２７の回動を規制する。
【００４２】
図６に示されるように、リンク機構３５は、長尺の第１リンク部３６と、該第１リンク部３６の略半分の寸法の第２リンク部３７と、から構成され、横向き略入字状を成している。尚、リンク機構３５は後述にて詳細に説明する。
【００４３】
このように、側部閉塞部材２０とベース杆２３とはリンク機構３５によって連結されている。これにより、側部閉塞部材２０は、リンク機構３５によって最後尾の間仕切パネル１Ａの縦フレーム７Ａに側部閉塞部材２０の重量Ｗ１（図６参照）が支持されているとともに、リンク機構３５によって縦フレーム７Ａに対して略平行に配置された状態を保ちながら水平方向へ案内される。
【００４４】
次いで、図５〜図７を用いて、側部進退機構２５について説明をする。図５，図６に示されるように、側部進退機構２５は、ベース杆２３に回動可能に軸支される上下一対のレバー２７，２７（回動体）と、該レバー２７に回動可能に取付けられる板状の長尺部材であるアーム体２８，２８（アーム）と、該アーム体２８，２８それぞれが回動可能に取付けられる上下方向に長尺な押引体２６と、レバー２７，２７それぞれに回動可能に軸支される上下方向に長尺なパイプ状のリンク部材２９と、押引体２６と支持杆２２との間に介在する複数の緩衝部材３３，３３，…と、から主に構成されている。尚、本実施例における押引手段は、押引体２６と、アーム体２８，２８と、から構成されている。
【００４５】
図５を参照して、押引体２６は、支持杆２２よりも短尺な角パイプ状の部材の上部と下部から芯部材７１Ａ側にそれぞれ突出した軸部に略矩形状の取付部２６ａ，２６ａが連結されて構成されており、取付部２６ａ，２６ａにはアーム体２８，２８が回動可能に取付けられている。
【００４６】
また、押引体２６は、圧縮バネ３３ａの付勢力やアーム体２８による引動により、押引体２６が芯部材７１Ａ側に移動しても段付き板材２２ｂ，２２ｂの規制部に接触するため、貫通孔２２ｃから軸芯３３ｂから脱落することがなく、支持杆２２から離脱することが防止されている。
【００４７】
図７に示されるように、レバー２７は、正面視略鈍角三角形状に形成されており、鈍角に形成された第１角部２７ａを前後方向に貫通する貫通孔と、ベース杆２３の第１取付片２３ａを前後方向に貫通する貫通孔と、に挿通された六角ボルトにナットが螺着されることで、第１取付片２３ａに回動可能に軸支されている。また、六角ボルトの頭部は、レバー２７に対して相対的に回動しないように当該レバー２７に固定されており、下方のレバー２７の六角ボルトの頭部は、アクセス孔Ｈを介して前方のガラスパネル４に露出するアクセス部Ｃである。
【００４８】
また、第１角部２７ａから最も離間した第２角部２７ｂと、アーム体２８の一端部２８ａとがそれぞれ回動可能に軸支されている。さらに、上方のレバー２７の第３角部２７ｃはリンク部材２９の上端部２９ａ（図５参照）に、下方のレバー２７の第３角部２７ｃはリンク部材２９の下端部２９ｂに、それぞれ回動可能に軸支されることでリンク部材２９を介して連結されており、レバー２７，２７はリンク部材２９によって連動して回動する。
【００４９】
また、上方のアーム体２８の他端部２８ｂは押引体２６の上方の取付部２６ａ（図５参照）に、下方のアーム体２８の他端部２８ｂは押引体２６の下方の取付部２６ａに、それぞれ回動可能に取付けられている。このようにして、側部進退機構２５は、側部閉塞部材２０とベース杆２３との間に連結されている。
【００５０】
尚、以降の説明において、図６〜図９に示されるように、レバー２７の第１角部２７ａの軸支部分を第１軸支部Ｐ１、第２角部２７ｂの軸支部分を第２軸支部Ｐ２、アーム体２８の他端部２８ｂの軸支部分を第３軸支部Ｐ３、第３角部２７ｃの軸支部分を第４軸支部Ｐ４とする。
【００５１】
図５〜図７に示されるように、第１軸支部Ｐ１と第３軸支部Ｐ３とは、略同一の高さ位置に配置されている。
【００５２】
次に、図７〜図１１を用いて、最後尾の間仕切パネル１Ａによる間仕切パネル１，１，…，１Ａと移動規制端部Ｓ、天井Ｒ及び床Ｆとの隙間の閉塞動作について説明する。尚、以降の説明において、特に断らない限り、下方に位置する、レバー２７、アーム体２８及び押引体２６の取付部２６ａを例に説明する。先ず、図１０（ａ）に示されるように、側部閉塞装置２の側部閉塞部材２０が収納状態にある最後尾の間仕切パネル１Ａを隣接する間仕切パネル１と移動規制端部Ｓとの間へと移動する。このとき、上部閉塞部材１１及び下部閉塞部材１２は隣接する間仕切パネル１の左側端部に当接しており、連接された間仕切パネル１，１，…，１Ａと移動規制端部Ｓとの間には、最後尾の間仕切パネル１Ａと移動規制端部Ｓとの隙間Ｇ１と、最後尾の間仕切パネル１Ａとこれに隣接する間仕切パネル１Ａとの隙間Ｇ２とが形成されている。
【００５３】
また、側部閉塞部材２０の収納状態において、図７に示されるように、第２軸支部Ｐ２が第１軸支部Ｐ１の略垂直下方に位置している。このとき、レバー２７の第１角部２７ａと第３角部２７ｃとの間の側端部２７ｄが、第１ストッパ９８ａに当接しているため、レバー２７の反時計回り方向への回動が規制されている。一方、レバー２７とアーム体２８とは、第２軸支部Ｐ２で谷折りに屈折して正面視略Ｖ字状を成し、本実施例において第１軸支部Ｐ１から第３軸支部Ｐ３までの左右方向の寸法が最短となっている。押引体２６及び側部閉塞部材２０もレバー２７側に配置されているため、側部閉塞部材２０はカバー部材７２内の収納部７２ｄに収納された状態となっている（図６（ａ）参照）。
【００５４】
また、側部閉塞部材２０の収納状態において、アクセス部Ｃに取付けたハンドル（図示略）を操作して下方のレバー２７を時計回り方向に回動させると、リンク部材２９を介して上方のレバー２７も時計回り方向に回動され、各第２軸支部Ｐ２，Ｐ２が時計回り方向へ回動して、第３軸支部Ｐ３が移動規制端部Ｓ側へと移動し、谷折りに屈折するレバー２７とアーム体２８とが拡開していく。このとき、側部閉塞部材２０は、リンク機構３５，３５によって側部閉塞部材２０の重量Ｗ１が支持されながら、略水平方向へ案内されるため、第３軸支部Ｐ３はレバー２７の回動に応じて略水平方向へ移動する。これにより、側部閉塞部材２０は押引体２６に押動され、図１０（ｂ）に示されるように、側部閉塞部材２０は移動し、その側端部が移動規制端部Ｓに当接して、隙間Ｇ１が閉塞される。
【００５５】
ここで、リンク機構３５，３５による案内について詳しく説明する。尚、以下の説明において、図７に示されるように、第１リンク部３６の他端部３６ｂの軸支部分を支持杆軸支部Ｑ１、第１リンク部３６と第２リンク部３７との軸支部分を交差軸支部Ｑ２、ローラ３８の軸支部分をローラ軸支部Ｑ３、第２リンク部３７の他端部３７ｂの軸支部分をベース杆軸支部Ｑ４とする。
【００５６】
図７に示されるように、支持杆軸支部Ｑ１、交差軸支部Ｑ２及びベース杆軸支部Ｑ４は、軸支部Ｑ１，Ｑ２間の寸法と、軸支部Ｑ２，Ｑ４間の寸法とが略同一である二等辺三角形状に配置されており、支持杆軸支部Ｑ１とベース杆軸支部Ｑ４とは、略同一の高さ位置に配置されている。
【００５７】
側部進退機構２５によって側部閉塞部材２０が左方向へ押動されると、ローラ軸支部Ｑ３が上方に移動するとともに、支持杆軸支部Ｑ１とベース杆軸支部Ｑ４が左右方向に離間するように移動する。このとき、支持杆軸支部Ｑ１、交差軸支部Ｑ２及びベース杆軸支部Ｑ４は二等辺三角形状に配置されていることから、支持杆軸支部Ｑ１を回動軸とした第１リンク部３６の回動角度と、ベース杆軸支部Ｑ４を回動軸とした第２リンク部３７の回動角度とは略同一となる。これにより、交差軸支部Ｑ２を頂点とした角度が広がり、第１リンク部３６及び第２リンク部３７が拡開することによって、支持杆軸支部Ｑ１は略水平左方へ直線移動する（図８参照）。同様に、側部閉塞部材２０が右方向へ引動されると、支持杆軸支部Ｑ１は略水平右方へと直線移動する（図７参照）。すなわち、リンク機構３５は、側部閉塞部材２０を水平方向へ案内することができる。
【００５８】
また、本実施例においてリンク機構３５は、軸支部Ｑ１，Ｑ２間の寸法と、軸支部Ｑ２，Ｑ４間の寸法と、軸支部Ｑ２，Ｑ３間の寸法とが略同一であることから、交差軸支部Ｑ２を中心とした各支持杆軸支部Ｑ１、ローラ軸支部Ｑ３、ベース杆軸支部Ｑ４までのバランスがとられているため、リンク機構３５を小型に構成できる。
【００５９】
また、リンク機構３５，３５は上下に離間して２個（複数）配置されていることから、側部閉塞部材２０を水平方向へ案内する精度が高い。
【００６０】
また、リンク機構３５，３５によって、側部閉塞部材２０の重量Ｗ１をベース杆２３（図６参照）に主に負荷させることができるので、側部進退機構２５のレバー２７を軽い力で回動操作可能となっている。
【００６１】
また、側部進退機構２５は、平行リンクを形成していることから、側部進退機構２５による側部閉塞部材２０の押動または引動の際に、押引体２６に対して略均等に力を作用させることができるとともに、押引体２６（第３軸支部Ｐ３，Ｐ３）を第１軸支部Ｐ１，Ｐ１に対して略平行に移動させることができる。
【００６２】
また、側部進退機構２５は、上下方向においてリンク機構３５，３５間に配置されていることから、側部閉塞部材２０をベース杆２３に対して略平行に配置された状態を保ちながらバランスよく押動または引動できるため、側部閉塞部材２０が傾きにくくなっている。
【００６３】
図１０（ｂ）に示される状態から、ハンドルを操作してアクセス部Ｃの回動を続けると、側部閉塞部材２０の移動規制端部Ｓ側への移動は、該移動規制端部Ｓによって規制されていることから、パネル本体５０側が隣接する間仕切パネル１側へと移動する。これに伴い、上部閉塞部材１１及び下部閉塞部材１２それぞれの側端部が隣接する間仕切パネル１の左側端部に押圧されることから、図１１（ａ）に示されるように、上部閉塞部材１１及び下部閉塞部材１２が天井Ｒまたは床Ｆに向かって進出し、当接する。
【００６４】
図１１（ａ）に示される状態から、ハンドルを操作してアクセス部Ｃの回動を続けると、パネル本体５０が移動し、谷折りに屈折するレバー２７とアーム体２８との拡開が進み直線状を成した後、屈折方向が山折りに反転して、ハンドルの回動角度が略９０度に達することで、図１１（ｂ）に示されるように、隙間Ｇ２が閉塞される。以下、詳細に説明する。
【００６５】
アクセス部Ｃが時計回り方向へ回動されると、第２軸支部Ｐ２は、第１軸支部Ｐ１を中心として時計回り方向へ回動し、第１軸支部Ｐ１及び第３軸支部Ｐ３と略同一高さ位置に移動することで、第１軸支部Ｐ１、第３軸支部Ｐ３と共に略直線を成す（図８（ａ）を参照）。このとき、第１軸支部Ｐ１から第３軸支部Ｐ３までの左右方向の寸法（すなわち、側部進退機構２５のストローク）が最長となり、緩衝部材３３の圧縮バネ３３ａが最も圧縮された状態となる（図８（ｂ）参照）。また、押引体２６と、アーム体２８と（押引手段）の最大ストロークにおいて、第１軸支部Ｐ１、第２軸支部Ｐ２及び第３軸支部Ｐ３は、所謂デッドセンターに沿って並んでいる。
【００６６】
また、リンク機構３５についても、第１リンク部３６の他端部３６ｂと第２リンク部３７の他端部３７ｂとが、本実施例において最も離間した状態となっている。すなわち、リンク機構３５は、側部進退機構２５のストロークの範囲において側部閉塞部材２０の移動を水平方向へ案内可能である。
【００６７】
この状態からさらにハンドルを操作して、アクセス部Ｃの回動により第２軸支部Ｐ２がデッドセンターを越えると、レバー２７とアーム体２８とが山折りに屈折して正面視略下向きＶ字状を成し、押引体２６とアーム体２８が後退して、第１角部２７ａと第２角部２７ｂとの間の側端部２７ｅが第２ストッパ９８ｂに当接する。これにより、レバー２７の回動が規制されるため、押引体２６とアーム体２８の後退も規制される。その一方で、側部閉塞部材２０は、圧縮バネ３３ａからの付勢力を受けることによって、移動規制端部Ｓに安定して押し付け続けられることから、連接された間仕切パネル１，１，…，１Ａと移動規制端部Ｓとの隙間Ｇ１，Ｇ２（１０（ａ）参照）を安定して閉塞できる。また、レバー２７、アーム体２８に外力が作用しない限り屈折方向は反転しないことから、隙間Ｇ１，Ｇ２を閉塞した位置で保持される。
【００６８】
リンク機構３５は、上述したように、側部進退機構２５と独立しているとともに、側部進退機構２５のストロークの範囲において側部閉塞部材２０の移動を水平方向へ案内可能であることから、圧縮バネ３３ａからの付勢力を受ける側部閉塞部材２０を、第１リンク部３６の他端部３６ｂと第２リンク部３７の他端部３７ｂとが最も離間した状態のまま支持することができる。すなわち、側部閉塞部材２０の移動を確実に略水平方向へ案内することができる。
【００６９】
また、リンク機構３５，３５は、側部閉塞部材２０が移動規制端部Ｓとの隙間Ｇ１，Ｇ２を閉塞した際にも、側部閉塞部材２０の重量Ｗ１を受け続けることで当該側部閉塞部材２０を支持している。その一方で、側部進退機構２５は、側部閉塞部材２０を移動規制端部Ｓへ押圧することによる当該移動規制端部Ｓからの反力を受けている。すなわち、側部閉塞部材２０の重量Ｗ１と移動規制端部Ｓからの反力とをリンク機構３５，３５と側部進退機構２５にそれぞれ分散して受けることができる。
【００７０】
また、移動規制端部Ｓからの反力によってもレバー２７が第２ストッパ９８ｂに押圧されているため、隙間Ｇを閉塞した位置で確実に保持される。
【００７１】
また、例えば移動規制端部Ｓが垂直方向よりも僅かに傾斜しているような状態であっても、緩衝部材３３の圧縮バネ３３ａ（図５参照）が圧縮され当該側部閉塞部材２０の側端部は傾動するため、確実に側部閉塞部材２０を移動規制端部Ｓに沿って押圧させることができる。
【００７２】
また、逆の手順を行うことで、第２軸支部Ｐ２を基点として山折りに屈折していた屈折方向（図９（ａ）参照）が、第２軸支部Ｐ２を基点として谷折りに屈折するように反転して（図７（ａ）参照）、押引体２６がレバー２７側へと移動する。これに伴って、押引体２６によって支持杆２２の段付き板材２２ｂ，２２ｂの規制部が引動され、側部閉塞部材２０はカバー部材７２の収納部７２ｄ内へと後退し収納状態となる（図６（ａ）参照）。
【００７３】
以上説明してきたように、本実施例の最後尾の間仕切パネル１Ａは、側部閉塞部材２０の重量Ｗ１と移動規制端部Ｓからの反力とをリンク機構３５，３５と側部進退機構２５にそれぞれ分散して受けるようになっているため、リンク機構３５，３５及び側部進退機構２５それぞれの構成を簡素化することができる。これにより、側部閉塞部材２０を備える最後尾の間仕切パネル１Ａを軽量とすることができる。
【００７４】
また、リンク機構３５，３５によって側部閉塞部材２０の移動が水平方向へ案内されるため、レバー２７の回動に応じて当該レバー２７とアーム体２８との屈折角度が可変することで進退動作を行う側部進退機構２５を採用することができる。
【００７５】
また、側部閉塞装置２が一対のガラスパネル４，４の間に配設されることで美観性がよく、アクセス部Ｃがガラスパネル４，４に露出していることからアクセスが容易であるため、操作性が良い。
【００７６】
また、枠体５が上部フレーム６、一対の縦フレーム７，７Ａ及び下部フレーム８が一体に連結されて構成されることにより、枠体５の構造強度を確保しながら、上部フレーム６、一対の縦フレーム７，７Ａ及び下部フレーム８によって囲まれる領域における、ガラスパネル４，４のパネル面の領域が相対的に大きくなり、ガラスパネル４，４のパネル面の領域を広くとることで見栄えが良く、且つ視認性が良くなるので室内空間に開放感を演出することができる。
【実施例２】
【００７７】
次に、実施例２に係る側部閉塞部材を備える間仕切パネルにつき、図１２を参照して説明する。尚、前記実施例に示される構成部分と同一構成部分については同一符号を付して重複する説明を省略する。
【００７８】
前記実施例１の重量支持手段は、リンク機構３５，３５である態様として説明したが、本実施例２にあっては、図１２に示されるように、上下一対のスライド機構１３５，１３５（重量支持機構）が重量支持手段を構成している。スライド機構１３５は、支持杆２２に溶接固定された側面視直角三角形状の走行体１３６と、ベース杆２３に溶接固定されたベース体１３７と、から構成されている。
【００７９】
走行体１３６は、略直角部分から上方に延びる側端部が支持杆２２に溶接固定されるとともに、該略直角部分から略水平方向にベース杆２３側に延びる下端部の先端側には、略垂直下方に突出して左右一対の走行ローラ１３８，１３８が回動可能に軸支されている。ベース体１３７は、略直角部分から下方に延びる側端部がベース杆２３に溶接固定されており、該略直角部分から略水平方向に支持杆２２側に延びる上端部を、走行体１３６の走行ローラ１３８，１３８が回転しながら直線移動可能となっている。
【００８０】
これにより、側部閉塞部材２０の重量Ｗ１が走行体１３６を介してベース体１３７に支持される。また、側部閉塞部材２０の進退動作の際には、走行体１３６がベース体１３７に支持されたまま、ベース体１３７に対して相対移動する。このように、側部閉塞部材２０は、スライド機構１３５によって最後尾の間仕切パネル１Ａの縦フレーム７Ａに支持されている。
【００８１】
すなわち、側部閉塞部材２０の重量Ｗ１と移動規制端部Ｓからの反力とをスライド機構１３５，１３５と側部進退機構２５にそれぞれ分散して受けるようになっているため、側部閉塞部材２０を備える最後尾の間仕切パネル１Ａを軽量とすることができる。また、側部閉塞部材２０の重量Ｗ１を側部閉塞装置２のベース杆２３に主に負荷させることができる。このことから、側部進退機構２５を軽い力で回動操作可能となっている。
【００８２】
以上、本発明の実施例を図面により説明してきたが、具体的な構成はこれら実施例に限られるものではなく、本発明の要旨を逸脱しない範囲における変更や追加があっても本発明に含まれる。
【００８３】
例えば、前記実施例では、側部閉塞装置２を有する間仕切パネル１Ａは、最後尾である態様として説明したが、これに限らず、先頭や間仕切パネル１，１の間等、その配置は適宜変更されてもよい。また、他の間仕切パネルに関しては、本実施例における最後尾の間仕切パネル１Ａの構成と略同一態様であることに限らず、例えば、梯子状の枠体にパネル部材が貼り付けられたものでもよく、適宜選択されればよい。
【００８４】
また、側部閉塞部材２０は、最後尾の間仕切パネル１Ａの縦フレーム７Ａに支持されている態様として説明したが、これに限らず、間仕切パネルの枠体であればよく、例えば、他の上部フレーム６、縦フレーム７、下部フレーム８のいずれか一つに支持されていてもよく、上部フレーム６、縦フレーム７，７Ａ、下部フレーム８のいずれかを併用して支持されていてもよく、限定されるものではない。さらに、枠体は、例えば図１３に示されるように、上部フレーム６、縦フレーム７，７Ａから構成される下向きコ字状枠の枠体５であってもよく、矩形枠に限定されるものではない。
【００８５】
また、縦杆部材は、ベース杆２３である態様として説明したが、これに限らず、縦フレーム７Ａであってもよい。
【００８６】
レバー２７は、鈍角三角形状に形成されている態様として説明したが、これに限らず、第１軸支部Ｐ１が第２軸支部Ｐ２及び第３軸支部Ｐ３によって挟まれるように配置されているのであれば、略円状や他の多角形状に形成されていてもよい。
【００８７】
また、側部進退機構２５は、側部閉塞部材２０が収納状態である際に、レバー２７とアーム体２８とが正面視略Ｖ字状を成しており、レバー２７を時計回りに回動させることで側部閉塞部材２０を進出させることができる態様として説明したが、レバー２７とアーム体２８とが正面視略下向きＶ字状を成していてもよく、この態様であればレバー２７を反時計回りに回動させることで側部閉塞部材２０を進出させることができる。さらに、アーム体２８，２８と押引体２６との間に回動可能に軸支された別のアーム体が介在されていてもよい。すなわち、押引手段を含めて側部進退機構２５の構造については、適宜変更されてもよい。
【００８８】
側部進退機構２５は、押引体２６、レバー２７，２７、アーム体２８，２８、及びリンク部材２９により平行リンクを成しているとして説明したが、これに限らず、レバー２７とアーム体２８だけで構成されていてもよく、限定されるものではない。また、レバー２７とアーム体２８とは、回動可能に軸支されている態様として説明したが、これに限らず、カムの回動に応じてアーム体が連接方向に進退動作するカム機構であってもよい。
【００８９】
また、側部進退機構は、本実施例の態様に限らず、特許文献１に示されるようにネジ軸ロッドと拡縮リンクから構成されていてもよく、電動シリンダ等を用いて進退動作が行われてもよく、限定されるものではない。
【００９０】
重量支持手段は、リンク機構３５またはスライド機構１３５が上下一対に配置されて構成される態様として説明したが、これに限らず、一つであってもよく、３つ以上であってもよく、限定されるものではない。
【００９１】
リンク機構３５は、第１リンク部３６の一端部３６ａに回動可能にローラ３８が軸支されている態様として説明したが、これに限らず、フッ素樹脂等の摩擦係数が小さい合成樹脂からなる低摩擦部材が固着されていてもよい。この態様であっても、支持板２３ｃ，２３ｃに押圧されながら摺動し、上方または下方に移動可能である。これは、スライド機構１３５についても同様である。
【００９２】
また、重量支持機構は、リンク機構３５またはスライド機構１３５である態様として説明したが、これに限らず、スライドレール、油圧シリンダ等が用いられてもよく、側部閉塞部材２０の移動を水平方向へ案内可能かつ当該側部閉塞部材２０の重量Ｗ１を支持可能であれば、限定されるものではない。
【００９３】
また、ガラスパネル４，４が前後に２枚設けられる間仕切パネル１について説明したが、これに限らず、間仕切パネルは、ガラスパネルが１枚または３枚以上の複数設けられるものであってもよい。
【００９４】
パネル部材は、ガラスパネル４，４である態様として説明したが、これに限らず、木板や不透明に着色された樹脂製の板等、不透明のものが適宜使用されてもよい。また、各ガラスパネルの左右方向の寸法は適宜変更されてもよく、その構成が限定されるものではない。
【符号の説明】
【００９５】
１，１Ａ          間仕切パネル
２                側部閉塞装置
３                レール（誘導路）
５                枠体
９                吊支部材
１０              移動間仕切装置
２０              側部閉塞部材
２３              ベース杆（縦杆部材）
２５              側部進退機構（側部進退手段）
３５              リンク機構（重量支持機構，重量支持手段）
１３５            スライド機構（重量支持機構，重量支持手段）
Ｆ                床
Ｒ                天井
Ｓ                移動規制端部
【図１】
2019214856.tif 000003
【図２】
2019214856.tif 000004
【図３】
2019214856.tif 000005
【図４】
2019214856.tif 000006
【図５】
2019214856.tif 000007
【図６】
2019214856.tif 000008
【図７】
2019214856.tif 000009
【図８】
2019214856.tif 000010
【図９】
2019214856.tif 000011
【図１０】
2019214856.tif 000012
【図１１】
2019214856.tif 000013
【図１２】
2019214856.tif 000014
【図１３】
2019214856.tif 000015